(57)【要約】【課題】居住者による侵入者検知等の異常情報の確認負担が軽減でき、確実に危険を回避することができる警備装置、警備システム、携帯端末、警備方法、警備プログラムを提供する。【解決手段】通知設定データベース１０３６は、複数の監視領域と、監視領域のそれぞれに対して当該監視領域で発生した検知情報の通知または非通知のいずれかを対応付けた通知設定情報を記憶し、送受信部１０３１は、監視領域での異常の発生および当該監視領域を示す検知情報を受信し、操作部１０３５は、送受信部１０３１が検知情報を受信した場合で、かつ、通知設定情報において監視領域に対応して検知情報の通知が記憶されている場合に、当該監視領域に対応する検知情報を出力する。【選択図】        図４
2008015966.tif 000002
【特許請求の範囲】
【請求項１】
警備対象である建物内の居室ごとに設置されたコントローラ部を備える警備装置において、
前記コントローラ部は、
複数の監視領域と、前記監視領域のそれぞれに対して当該監視領域で発生した検知情報の通知または非通知のいずれかを対応付けた通知設定情報を記憶する通知設定記憶手段と、
前記監視領域での異常の発生および当該監視領域を示す検知情報を受信する検知情報受信手段と、
前記検知情報受信手段によって前記検知情報を受信した場合で、かつ、前記通知設定情報において前記検知情報に含まれる前記監視領域に対応して検知情報の通知が記憶されている場合に、当該監視領域に対応する前記検知情報を出力する出力手段と、
を備えることを特徴とする警備装置。
【請求項２】
前記監視領域に設置され、居住者が所持する携帯端末の識別情報を読取る識別情報読取手段と、
前記識別情報読取手段が設置されている監視領域を示す監視領域情報を記憶する監視領域情報記憶手段と、
前記識別情報読取手段によって読取られた前記識別情報および前記監視領域情報記憶手段に記憶された前記監視領域情報を取得する端末情報取得手段と、
前記検知情報受信手段によって受信された前記検知情報と、前記端末情報取得手段によって取得された前記識別情報および前記監視領域情報とに基づいて、当該監視領域に不審者が存在するか否かを判定する不審者判定手段と、をさらに備え、
前記出力手段は、さらに前記不審者判定手段によって前記監視領域に不審者が存在すると判定された場合で、かつ、前記通知設定情報において前記不審者判定手段によって不審者が存在すると判定された前記監視領域に対応して検知情報の通知が記憶されている場合に、当該監視領域に対する不審者情報を出力すること、を特徴とする請求項１に記載の警備装置。
【請求項３】
前記不審者判定手段は、さらに前記監視領域ごとに前記検知情報受信手段によって受信された前記検知情報の数量と、前記端末情報取得手段によって取得された前記識別情報の数量が異なる場合に、当該監視領域に不審者が存在すると判定すること、を特徴とする請求項２に記載の警備装置。
【請求項４】
警備対象である建物内の居室ごとに設置されたコントローラ部を備える警備装置と、居住者が所持する携帯端末と、を備える警備システムにおいて、
前記コントローラ部は、
複数の監視領域と、前記監視領域のそれぞれに対して当該監視領域で発生した検知情報の通知または非通知のいずれかを対応付けた通知設定情報を記憶する通知設定記憶手段と、
前記監視領域での異常の発生および当該監視領域を示す検知情報を受信する検知情報受信手段と、
前記検知情報受信手段によって前記検知情報を受信した場合で、かつ、前記通知設定情報において前記検知情報に含まれる前記監視領域に対応して検知情報の通知が記憶されている場合に、当該監視領域に対応する前記検知情報を前記携帯端末に送信する送信手段と、
前記携帯端末は、
前記警備装置から送信された前記検知情報を受信する受信手段と、
前記受信手段によって受信された前記検知情報を出力する出力手段と、
を備えることを特徴とする警備システム。
【請求項５】
前記監視領域に設置され、居住者が所持する携帯端末の識別情報を読取る識別情報読取手段と、
前記識別情報読取手段が設置されている監視領域を示す監視領域情報を記憶する監視領域情報記憶手段と、
前記識別情報読取手段によって読取られた前記識別情報および前記監視領域記憶手段に記憶された前記監視領域情報を取得する端末情報取得手段と、
前記検知情報受信手段によって受信された前記検知情報と、前記端末情報取得手段によって取得された前記識別情報および前記監視領域情報とに基づいて、当該監視領域に不審者が存在するか否かを判定する不審者判定手段と、をさらに備え、
前記送信手段は、さらに前記不審者判定手段によって前記監視領域に不審者が存在すると判定された場合で、かつ、前記通知設定情報において前記不審者判定手段によって不審者が存在すると判定された前記監視領域に対応して検知情報の通知が記憶されている場合に、当該監視領域に対する不審者情報を前記携帯端末に送信し、
前記受信手段は、前記警備装置から送信された前記不審者情報を受信し、
前記出力手段は、前記受信手段によって受信された前記不審者情報を出力すること、を特徴とする請求項４に記載の警備システム。
【請求項６】
前記不審者判定手段は、さらに前記監視領域ごとに前記検知情報受信手段によって受信された前記検知情報の数量と、前記端末情報取得手段によって取得された前記識別情報の数量が異なる場合に、当該監視領域に不審者が存在すると判定すること、を特徴とする請求項５に記載の警備システム。
【請求項７】
警備対象である建物内の居室ごとに設置されたコントローラ部と、サーバとがネットワークを介して接続された警備装置において、
前記サーバは、
前記居室を識別する居室識別情報と、複数の監視領域と、前記監視領域のそれぞれに対して当該監視領域で発生した検知情報の通知または非通知のいずれかを対応付けた通知設定情報を記憶する通知設定記憶手段と、
前記監視領域での異常の発生および当該監視領域を示す検知情報を受信する検知情報受信手段と、
前記検知情報受信手段によって前記検知情報を受信した場合で、かつ、前記通知設定情報において前記居室識別情報ごとに前記検知情報に含まれる前記監視領域に対応して検知情報の通知が記憶されている場合に、当該監視領域に対応する前記検知情報を前記居室識別情報に対応する前記居室に設置された前記コントローラ部に送信する送信手段と、
前記コントローラ部は、
前記サーバから送信された前記検知情報を受信する受信手段と、
前記受信手段によって受信された前記検知情報を出力する出力手段と、
を備えることを特徴とする警備装置。
【請求項８】
前記監視領域に設置され、居住者が所持する携帯端末の識別情報を読取る識別情報読取手段と、
前記識別情報読取手段が設置されている監視領域を示す監視領域情報を記憶する監視領域情報記憶手段と、
前記識別情報読取手段によって読取られた前記識別情報および前記監視領域情報記憶手段に記憶された前記監視領域情報を取得する端末情報取得手段と、
前記検知情報受信手段によって受信された前記検知情報と、前記端末情報取得手段によって取得された前記識別情報および前記監視領域情報とに基づいて、当該監視領域に不審者が存在するか否かを判定する不審者判定手段と、をさらに備え、
前記送信手段は、さらに前記不審者判定手段によって前記監視領域に不審者が存在すると判定された場合で、かつ、前記通知設定情報において前記居室識別情報ごとに前記不審者判定手段によって不審者が存在すると判定された前記監視領域に対応して検知情報の通知が記憶されている場合に、当該監視領域に対する不審者情報を前記居室識別情報に対応する前記居室に設置された前記コントローラ部に送信し、
前記受信手段は、前記サーバから送信された前記不審者情報を受信し、
前記出力手段は、前記受信手段によって受信された前記不審者情報を出力すること、を特徴とする請求項７に記載の警備装置。
【請求項９】
前記不審者判定手段は、さらに前記監視領域ごとに前記検知情報受信手段によって受信された前記検知情報の数量と、前記端末情報取得手段によって取得された前記識別情報の数量が異なる場合に、当該監視領域に不審者が存在すると判定すること、を特徴とする請求項８に記載の警備装置。
【請求項１０】
居住者が所持する送受信可能な携帯端末において、
他の携帯端末から送信された前記携帯端末を識別する識別情報を受信する受信手段と、
所定の時間内に前記受信手段によって受信された前記識別情報の数量を計数する計数手段と、
前記計数手段によって計数された前記識別情報の数量を出力する出力手段と、
を備えることを特徴とする携帯端末。
【請求項１１】
居住者が所持する互いに送受信可能な複数の携帯端末と、前記携帯端末と送受信可能な警備装置と、を備える警備システムにおいて、
前記携帯端末は、
他の携帯端末から送信された前記携帯端末を識別する識別情報を受信する受信手段と、
所定の時間内に前記受信手段によって受信された前記識別情報を前記警備装置に送信する送信手段と、を備え、
前記警備装置は、
前記居住者を識別する居住者識別情報を記憶する居住者識別記憶手段と、
前記携帯端末から送信された前記識別情報を受信する受信手段と、
前記居住者識別記憶手段に記憶された前記居住者識別情報と合致する前記受信手段によって受信された前記識別情報の数量を計数する計数手段と、
前記計数手段によって計数された前記識別情報の数量を前記携帯端末に送信する数量送信手段と、
前記携帯端末は、
前記警備装置から送信された前記識別情報の数量を受信する数量受信手段と、
前記数量受信手段によって受信された前記識別情報の数量を出力する出力手段と、
を備えることを特徴とする警備システム。
【請求項１２】
警備対象である建物内の居室ごとに設置されたコントローラ部を備える警備装置の警備方法において、
監視領域での異常の発生および当該監視領域を示す検知情報を受信する検知情報受信ステップと、
前記検知情報受信ステップによって前記検知情報を受信した場合で、かつ、複数の前記監視領域と、前記監視領域のそれぞれに対して当該監視領域で発生した検知情報の通知または非通知のいずれかを対応付けた通知設定情報において前記検知情報に含まれる前記監視領域に対応して検知情報の通知が記憶されている場合に、当該監視領域に対応する前記検知情報を出力する出力ステップと、
を有することを特徴とする警備方法。
【請求項１３】
警備対象である建物内の居室ごとに設置されたコントローラ部を備える警備装置と、居住者が所持する携帯端末と、を備える警備システムの警備方法において、
監視領域での異常の発生および当該監視領域を示す検知情報を受信する検知情報受信ステップと、
前記検知情報受信ステップによって前記検知情報を受信した場合で、かつ、複数の前記監視領域と、前記監視領域のそれぞれに対して当該監視領域で発生した検知情報の通知または非通知のいずれかを対応付けた通知設定情報において前記検知情報に含まれる前記監視領域に対応して検知情報の通知が記憶されている場合に、当該監視領域に対応する前記検知情報を前記携帯端末に送信する送信ステップと、
前記警備装置から送信された前記検知情報を受信する受信ステップと、
前記受信ステップによって受信された前記検知情報を出力する出力ステップと、
を有することを特徴とする警備方法。
【請求項１４】
警備対象である建物内の居室ごとに設置されたコントローラ部と、サーバとがネットワークを介して接続された警備装置の警備方法において、
監視領域での異常の発生および当該監視領域を示す検知情報を受信する検知情報受信ステップと、
前記検知情報受信ステップによって前記検知情報を受信した場合で、かつ、前記居室を識別する居室識別情報と、複数の前記監視領域と、前記監視領域のそれぞれに対して当該監視領域で発生した検知情報の通知または非通知のいずれかを対応付けた通知設定情報において前記居室識別情報ごとに前記検知情報に含まれる前記監視領域に対応して検知情報の通知が記憶されている場合に、当該監視領域に対応する前記検知情報を前記居室識別情報に対応する前記居室に設置された前記コントローラ部に送信する送信ステップと、
前記サーバから送信された前記検知情報を受信する受信ステップと、
前記受信ステップによって受信された前記検知情報を出力する出力ステップと、
を有することを特徴とする警備方法。
【請求項１５】
居住者が所持する送受信可能な携帯端末の警備方法において、
他の携帯端末から送信された前記携帯端末を識別する識別情報を受信する受信ステップと、
所定の時間内に前記受信ステップによって受信された前記識別情報の数量を計数する計数ステップと、
前記計数ステップによって計数された前記識別情報の数量を出力する出力ステップと、
を有することを特徴とする警備方法。
【請求項１６】
居住者が所持する互いに送受信可能な複数の携帯端末と、前記携帯端末と送受信可能な警備装置と、を備える警備システムの警備方法において、
他の携帯端末から送信された前記携帯端末を識別する識別情報を受信する受信ステップと、
所定の時間内に前記受信ステップによって受信された前記識別情報を前記警備装置に送信する送信ステップと、
前記携帯端末から送信された前記識別情報を受信する受信ステップと、
前記居住者を識別する居住者識別情報を記憶する居住者識別記憶手段に記憶された前記居住者識別情報と合致する前記受信ステップによって受信された前記識別情報の数量を計数する計数ステップと、
前記計数ステップによって計数された前記識別情報の数量を前記携帯端末に送信する数量送信ステップと、
前記警備装置から送信された前記識別情報の数量を受信する数量受信ステップと、
前記数量受信ステップによって受信された前記識別情報の数量を出力する出力ステップと、
を有することを特徴とする警備方法。
【請求項１７】
請求項１２〜１６のいずれか一つに記載された警備方法をコンピュータに実行させることを特徴とする警備処理プログラム。
【発明の詳細な説明】
【技術分野】
【０００１】
本発明は、警備装置、警備システム、携帯端末、警備方法、警備プログラムに関するものであり、特定の監視領域に住人以外の不審者が存在することを覚知させることに関するものである。
【背景技術】
【０００２】
従来から、建物の出入口に設置されたオートロックシステムが一般に知られている。このようなオートロックシステムでは、建物の出入口において居住者が携帯しているＩＣカードを読取らせたり、テンキーからパスワードを入力させたりすることによって、居住者か否かを判別し、居住者しか自動ドアが開かないように制御するものである。また、来客があった場合は、インターホンなどで来客を確認した上で自動ドアのロックを解除することによって、建物内に招き入れるものである。しかし、このようなオートロックシステムでは、来客を招き入れようとして自動ドアが開いた隙に、来客として確認されていない人が建物内に入ることができるという問題があった。
【０００３】
このような問題を解決するものとして、建物内に侵入してきた人を検知する侵入者検知装置が公開されている（特許文献１参照）。かかる侵入者検知装置では、来客が建物に入場する際に照合媒体を発行する。建物内に設置されている認識装置が人の滞在を検知した場合に、照合情報読取装置が照合媒体の読取りを行う。照合媒体を読取ることができない場合には、認識装置で認識された人は侵入者であると判断され、その位置や人数が住人や警備員に報知されるものである。
【０００４】
【特許文献１】特開平９−２７００１１号公報
【発明の開示】
【発明が解決しようとする課題】
【０００５】
しかしながら、上記特許文献１に記載された技術では、建物内のどの場所においても照合媒体を所持していない者が検知された場合に警報が発報されるため、居住者によっては、確認する必要のない場所で侵入者が検知された場合にも侵入者検知等を示す警報が発報することとなり、居住者の警報に対する確認の負担が大きいという問題があった。
【０００６】
本発明は、上記に鑑みてなされたものであって、居住者に侵入者検知等の異常情報の確認負担が軽減でき、確実に危険を回避することができる警備装置、警備システム、携帯端末、警備方法、警備プログラムを提供することを目的とする。
【課題を解決するための手段】
【０００７】
上述した課題を解決し、目的を達成するために、請求項１にかかる発明は、警備対象である建物内の居室ごとに設置されたコントローラ部を備える警備装置において、前記コントローラ部は、複数の監視領域と、前記監視領域のそれぞれに対して当該監視領域で発生した検知情報の通知または非通知のいずれかを対応付けた通知設定情報を記憶する通知設定記憶手段と、前記監視領域での異常の発生および当該監視領域を示す検知情報を受信する検知情報受信手段と、前記検知情報受信手段によって前記検知情報を受信した場合で、かつ、前記通知設定情報において前記検知情報に含まれる前記監視領域に対応して検知情報の通知が記憶されている場合に、当該監視領域に対応する前記検知情報を出力する出力手段と、を備えることを特徴とする。
【０００８】
また、請求項２にかかる発明は、請求項１に記載の警備装置において、前記監視領域に設置され、居住者が所持する携帯端末の識別情報を読取る識別情報読取手段と、前記識別情報読取手段が設置されている監視領域を示す監視領域情報を記憶する監視領域情報記憶手段と、前記識別情報読取手段によって読取られた前記識別情報および前記監視領域情報記憶手段に記憶された前記監視領域情報を取得する端末情報取得手段と、前記検知情報受信手段によって受信された前記検知情報と、前記端末情報取得手段によって取得された前記識別情報および前記監視領域情報とに基づいて、当該監視領域に不審者が存在するか否かを判定する不審者判定手段と、をさらに備え、前記出力手段は、さらに前記不審者判定手段によって前記監視領域に不審者が存在すると判定された場合で、かつ、前記通知設定情報において前記不審者判定手段によって不審者が存在すると判定された前記監視領域に対応して検知情報の通知が記憶されている場合に、当該監視領域に対する不審者情報を出力すること、を特徴とする。
【０００９】
また、請求項３にかかる発明は、請求項２に記載の警備装置において、前記不審者判定手段は、さらに前記監視領域ごとに前記検知情報受信手段によって受信された前記検知情報の数量と、前記端末情報取得手段によって取得された前記識別情報の数量が異なる場合に、当該監視領域に不審者が存在すると判定すること、を特徴とする。
【００１０】
また、請求項４にかかる発明は、警備対象である建物内の居室ごとに設置されたコントローラ部を備える警備装置と、居住者が所持する携帯端末と、を備える警備システムにおいて、前記コントローラ部は、複数の監視領域と、前記監視領域のそれぞれに対して当該監視領域で発生した検知情報の通知または非通知のいずれかを対応付けた通知設定情報を記憶する通知設定記憶手段と、前記監視領域での異常の発生および当該監視領域を示す検知情報を受信する検知情報受信手段と、前記検知情報受信手段によって前記検知情報を受信した場合で、かつ、前記通知設定情報において前記検知情報に含まれる前記監視領域に対応して検知情報の通知が記憶されている場合に、当該監視領域に対応する前記検知情報を前記携帯端末に送信する送信手段と、前記携帯端末は、前記警備装置から送信された前記検知情報を受信する受信手段と、前記受信手段によって受信された前記検知情報を出力する出力手段と、を備えることを特徴とする。
【００１１】
また、請求項５にかかる発明は、請求項４に記載の警備システムにおいて、前記監視領域に設置され、居住者が所持する携帯端末の識別情報を読取る識別情報読取手段と、前記識別情報読取手段が設置されている監視領域を示す監視領域情報を記憶する監視領域情報記憶手段と、前記識別情報読取手段によって読取られた前記識別情報および前記監視領域情報記憶手段に記憶された前記監視領域情報を取得する端末情報取得手段と、前記検知情報受信手段によって受信された前記検知情報と、前記端末情報取得手段によって取得された前記識別情報および前記監視領域情報とに基づいて、当該監視領域に不審者が存在するか否かを判定する不審者判定手段と、をさらに備え、前記送信手段は、さらに前記不審者判定手段によって前記監視領域に不審者が存在すると判定された場合で、かつ、前記通知設定情報において前記不審者判定手段によって不審者が存在すると判定された前記監視領域に対応して検知情報の通知が記憶されている場合に、当該監視領域に対する不審者情報を前記携帯端末に送信し、前記受信手段は、前記警備装置から送信された前記不審者情報を受信し、前記出力手段は、前記受信手段によって受信された前記不審者情報を出力すること、を特徴とする。
【００１２】
また、請求項６にかかる発明は、請求項５に記載の警備システムにおいて、前記不審者判定手段は、さらに前記監視領域ごとに前記検知情報受信手段によって受信された前記検知情報の数量と、前記端末情報取得手段によって取得された前記識別情報の数量が異なる場合に、当該監視領域に不審者が存在すると判定すること、を特徴とする。
【００１３】
また、請求項７にかかる発明は、警備対象である建物内の居室ごとに設置されたコントローラ部と、サーバとがネットワークを介して接続された警備装置において、前記サーバは、前記居室を識別する居室識別情報と、複数の監視領域と、前記監視領域のそれぞれに対して当該監視領域で発生した検知情報の通知または非通知のいずれかを対応付けた通知設定情報を記憶する通知設定記憶手段と、前記監視領域での異常の発生および当該監視領域を示す検知情報を受信する検知情報受信手段と、前記検知情報受信手段によって前記検知情報を受信した場合で、かつ、前記通知設定情報において前記居室識別情報ごとに前記検知情報に含まれる前記監視領域に対応して検知情報の通知が記憶されている場合に、当該監視領域に対応する前記検知情報を前記居室識別情報に対応する前記居室に設置された前記コントローラ部に送信する送信手段と、前記コントローラ部は、前記サーバから送信された前記検知情報を受信する受信手段と、前記受信手段によって受信された前記検知情報を出力する出力手段と、を備えることを特徴とする。
【００１４】
また、請求項８にかかる発明は、請求項７に記載の警備装置において、前記監視領域に設置され、居住者が所持する携帯端末の識別情報を読取る識別情報読取手段と、前記識別情報読取手段が設置されている監視領域を示す監視領域情報を記憶する監視領域情報記憶手段と、前記識別情報読取手段によって読取られた前記識別情報および前記監視領域情報記憶手段に記憶された前記監視領域情報を取得する端末情報取得手段と、前記検知情報受信手段によって受信された前記検知情報と、前記端末情報取得手段によって取得された前記識別情報および前記監視領域情報とに基づいて、当該監視領域に不審者が存在するか否かを判定する不審者判定手段と、をさらに備え、前記送信手段は、さらに前記不審者判定手段によって前記監視領域に不審者が存在すると判定された場合で、かつ、前記通知設定情報において前記居室識別情報ごとに前記不審者判定手段によって不審者が存在すると判定された前記監視領域に対応して検知情報の通知が記憶されている場合に、当該監視領域に対する不審者情報を前記居室識別情報に対応する前記居室に設置された前記コントローラ部に送信し、前記受信手段は、前記サーバから送信された前記不審者情報を受信し、前記出力手段は、前記受信手段によって受信された前記不審者情報を出力すること、を特徴とする。
【００１５】
また、請求項９にかかる発明は、請求項８に記載の警備装置において、前記不審者判定手段は、さらに前記監視領域ごとに前記検知情報受信手段によって受信された前記検知情報の数量と、前記端末情報取得手段によって取得された前記識別情報の数量が異なる場合に、当該監視領域に不審者が存在すると判定すること、を特徴とする。
【００１６】
また、請求項１０にかかる発明は、居住者が所持する送受信可能な携帯端末において、他の携帯端末から送信された前記携帯端末を識別する識別情報を受信する受信手段と、所定の時間内に前記受信手段によって受信された前記識別情報の数量を計数する計数手段と、前記計数手段によって計数された前記識別情報の数量を出力する出力手段と、を備えることを特徴とする。
【００１７】
また、請求項１１にかかる発明は、居住者が所持する互いに送受信可能な複数の携帯端末と、前記携帯端末と送受信可能な警備装置と、を備える警備システムにおいて、前記携帯端末は、他の携帯端末から送信された前記携帯端末を識別する識別情報を受信する受信手段と、所定の時間内に前記受信手段によって受信された前記識別情報を前記警備装置に送信する送信手段と、を備え、前記警備装置は、前記居住者を識別する居住者識別情報を記憶する居住者識別記憶手段と、前記携帯端末から送信された前記識別情報を受信する受信手段と、前記居住者識別記憶手段に記憶された前記居住者識別情報と合致する前記受信手段によって受信された前記識別情報の数量を計数する計数手段と、前記計数手段によって計数された前記識別情報の数量を前記携帯端末に送信する数量送信手段と、前記携帯端末は、前記警備装置から送信された前記識別情報の数量を受信する数量受信手段と、前記数量受信手段によって受信された前記識別情報の数量を出力する出力手段と、を備えることを特徴とする。
【００１８】
また、請求項１２にかかる発明は、警備対象である建物内の居室ごとに設置されたコントローラ部を備える警備装置の警備方法において、監視領域での異常の発生および当該監視領域を示す検知情報を受信する検知情報受信ステップと、前記検知情報受信ステップによって前記検知情報を受信した場合で、かつ、複数の前記監視領域と、前記監視領域のそれぞれに対して当該監視領域で発生した検知情報の通知または非通知のいずれかを対応付けた通知設定情報において前記検知情報に含まれる前記監視領域に対応して検知情報の通知が記憶されている場合に、当該監視領域に対応する前記検知情報を出力する出力ステップと、を有することを特徴とする。
【００１９】
また、請求項１３にかかる発明は、警備対象である建物内の居室ごとに設置されたコントローラ部を備える警備装置と、居住者が所持する携帯端末と、を備える警備システムの警備方法において、監視領域での異常の発生および当該監視領域を示す検知情報を受信する検知情報受信ステップと、前記検知情報受信ステップによって前記検知情報を受信した場合で、かつ、複数の前記監視領域と、前記監視領域のそれぞれに対して当該監視領域で発生した検知情報の通知または非通知のいずれかを対応付けた通知設定情報において前記検知情報に含まれる前記監視領域に対応して検知情報の通知が記憶されている場合に、当該監視領域に対応する前記検知情報を前記携帯端末に送信する送信ステップと、前記警備装置から送信された前記検知情報を受信する受信ステップと、前記受信ステップによって受信された前記検知情報を出力する出力ステップと、を有することを特徴とする。
【００２０】
また、請求項１４にかかる発明は、警備対象である建物内の居室ごとに設置されたコントローラ部と、サーバとがネットワークを介して接続された警備装置の警備方法において、監視領域での異常の発生および当該監視領域を示す検知情報を受信する検知情報受信ステップと、前記検知情報受信ステップによって前記検知情報を受信した場合で、かつ、前記居室を識別する居室識別情報と、複数の前記監視領域と、前記監視領域のそれぞれに対して当該監視領域で発生した検知情報の通知または非通知のいずれかを対応付けた通知設定情報において前記居室識別情報ごとに前記検知情報に含まれる前記監視領域に対応して検知情報の通知が記憶されている場合に、当該監視領域に対応する前記検知情報を前記居室識別情報に対応する前記居室に設置された前記コントローラ部に送信する送信ステップと、前記サーバから送信された前記検知情報を受信する受信ステップと、前記受信ステップによって受信された前記検知情報を出力する出力ステップと、を有することを特徴とする。
【００２１】
また、請求項１５にかかる発明は、居住者が所持する送受信可能な携帯端末の警備方法において、他の携帯端末から送信された前記携帯端末を識別する識別情報を受信する受信ステップと、所定の時間内に前記受信ステップによって受信された前記識別情報の数量を計数する計数ステップと、前記計数ステップによって計数された前記識別情報の数量を出力する出力ステップと、を有することを特徴とする。
【００２２】
また、請求項１６にかかる発明は、居住者が所持する互いに送受信可能な複数の携帯端末と、前記携帯端末と送受信可能な警備装置と、を備える警備システムの警備方法において、他の携帯端末から送信された前記携帯端末を識別する識別情報を受信する受信ステップと、所定の時間内に前記受信ステップによって受信された前記識別情報を前記警備装置に送信する送信ステップと、前記携帯端末から送信された前記識別情報を受信する受信ステップと、前記居住者を識別する居住者識別情報を記憶する居住者識別記憶手段に記憶された前記居住者識別情報と合致する前記受信ステップによって受信された前記識別情報の数量を計数する計数ステップと、前記計数ステップによって計数された前記識別情報の数量を前記携帯端末に送信する数量送信ステップと、前記警備装置から送信された前記識別情報の数量を受信する数量受信ステップと、前記数量受信ステップによって受信された前記識別情報の数量を出力する出力ステップと、を有することを特徴とする。
【００２３】
また、請求項１７にかかる発明は、請求項１２〜１６のいずれか一つに記載された警備方法をコンピュータに実行させることを特徴とする。
【発明の効果】
【００２４】
請求項１にかかる発明によれば、検知情報受信手段によって、監視領域での異常の発生および当該監視領域を示す検知情報を受信し、出力手段によって、検知情報受信手段によって検知情報を受信した場合で、かつ、複数の監視領域と、監視領域のそれぞれに対して当該監視領域で発生した検知情報の通知または非通知のいずれかを対応付けた通知設定情報において検知情報に含まれる監視領域に対応して検知情報の通知が記憶されている場合に、当該監視領域に対応する検知情報を出力することにより、予め設定された監視対象のみの検知情報が出力されるため、居住者による異常情報の確認負担が軽減できるとともに、危険を回避することができるという効果を奏する。
【００２５】
また、請求項２にかかる発明によれば、識別情報読取手段によって、監視領域に設置され、居住者が所持する携帯端末の識別情報を読取り、端末情報取得手段によって、識別情報読取手段によって読取られた識別情報および識別情報読取手段が設置されている監視領域を示す監視領域情報を記憶する監視領域情報記憶手段に記憶された監視領域情報を取得し、不審者判定手段によって、検知情報受信手段によって受信された検知情報と、端末情報取得手段によって取得された識別情報および監視領域情報とに基づいて、当該監視領域に不審者が存在するか否かを判定し、出力手段は、さらに不審者判定手段によって監視領域に不審者が存在すると判定された場合で、かつ、通知設定情報において不審者判定手段によって不審者が存在すると判定された監視領域に対応して検知情報の通知が記憶されている場合に、当該監視領域に対する不審者情報を出力することにより、携帯端末からの識別情報を用いて居住者以外の不審者を判定して通知することができるため、確実性の高い不審者情報を得ることができ、不審者の確認負担を軽減することができるという効果を奏する。
【００２６】
また、請求項３にかかる発明によれば、不審者判定手段は、さらに監視領域ごとに検知情報受信手段によって受信された検知情報の数量と、端末情報取得手段によって取得された識別情報の数量が異なる場合に、当該監視領域に不審者が存在すると判定することにより、監視領域ごとに携帯端末を所持していない者が不審者と判定されるため、監視領域での不審者を確実に把握することができるという効果を奏する。
【００２７】
また、請求項４にかかる発明によれば、検知情報受信手段によって、監視領域での異常の発生および当該監視領域を示す検知情報を受信し、送信手段によって、検知情報受信手段によって検知情報を受信した場合で、かつ複数の監視領域と、監視領域のそれぞれに対して当該監視領域で発生した検知情報の通知または非通知のいずれかを対応付けた通知設定情報において検知情報に含まれる監視領域に対応して検知情報の通知が記憶されている場合に、当該監視領域に対応する検知情報を携帯端末に送信し、受信手段によって、警備装置から送信された検知情報を受信し、出力手段によって、受信手段によって受信された検知情報を出力することにより、予め設定された監視対象のみの検知情報が出力されるため、居住者による異常情報の確認負担が軽減できるとともに、危険を回避することができるという効果を奏する。また、携帯端末に異常情報を出力することにより、居室以外にいる場合においても危険を回避することができるという効果を奏する。
【００２８】
また、請求項５にかかる発明によれば、識別情報読取手段によって、監視領域に設置され、居住者が所持する携帯端末の識別情報を読取り、端末情報取得手段によって、識別情報読取手段によって読取られた識別情報および識別情報読取手段が設置されている監視領域を示す監視領域情報を記憶する監視領域情報記憶手段に記憶された監視領域情報を取得し、不審者判定手段によって、検知情報受信手段によって受信された検知情報と、端末情報取得手段によって取得された識別情報および監視領域情報とに基づいて、当該監視領域に不審者が存在するか否かを判定し、送信手段は、さらに不審者判定手段によって監視領域に不審者が存在すると判定された場合で、かつ、通知設定情報において不審者判定手段によって不審者が存在すると判定された監視領域に対応して検知情報の通知が記憶されている場合に、当該監視領域に対する不審者情報を携帯端末に送信し、受信手段は、警備装置から送信された不審者情報を受信し、出力手段は、受信手段によって受信された不審者情報を出力することにより、携帯端末からの識別情報を用いて居住者以外の不審者を判定して通知することができるため、確実性の高い不審者情報を得ることができ、不審者の確認負担を軽減することができるという効果を奏する。
【００２９】
また、請求項６にかかる発明によれば、不審者判定手段は、さらに監視領域ごとに検知情報受信手段によって受信された検知情報の数量と、端末情報取得手段によって取得された識別情報の数量が異なる場合に、当該監視領域に不審者が存在すると判定することにより、監視領域ごとに携帯端末を所持していない者が不審者と判定されるため、監視領域での不審者を確実に把握することができるという効果を奏する。
【００３０】
また、請求項７にかかる発明によれば、検知情報受信手段によって、監視領域での異常の発生および当該監視領域を示す検知情報を受信し、送信手段によって、検知情報受信手段によって検知情報を受信した場合で、かつ、居室を識別する居室識別情報と、複数の監視領域と、監視領域のそれぞれに対して当該監視領域で発生した検知情報の通知または非通知のいずれかを対応付けた通知設定情報において居室識別情報ごとに検知情報に含まれる監視領域に対応して検知情報の通知が記憶されている場合に、当該監視領域に対応する検知情報を居室識別情報に対応する居室に設置されたコントローラ部に送信し、受信手段によって、サーバから送信された検知情報を受信し、出力手段によって、受信手段によって受信された検知情報を出力することにより、各居室のコントローラ部ではなく、サーバ装置で不審者を判定し、不審者情報を居室の操作部に送信して出力するため、ネットワークに対する負荷が軽減でき、各居室のコントローラ部の構成や機能を簡易なものにすることができるという効果を奏する。
【００３１】
また、請求項８にかかる発明によれば、識別情報読取手段によって、監視領域に設置され、居住者が所持する携帯端末の識別情報を読取り、端末情報取得手段によって、識別情報読取手段によって読取られた識別情報および識別情報読取手段が設置されている監視領域を示す監視領域情報を記憶する監視領域情報記憶手段に記憶された監視領域情報を取得し、不審者判定手段によって、検知情報受信手段によって受信された検知情報と、端末情報取得手段によって取得された識別情報および監視領域情報とに基づいて、当該監視領域に不審者が存在するか否かを判定し、送信手段は、さらに不審者判定手段によって監視領域に不審者が存在すると判定された場合で、かつ、通知設定情報において居室識別情報ごとに不審者判定手段によって不審者が存在すると判定された監視領域に対応して検知情報の通知が記憶されている場合に、当該監視領域に対する不審者情報を居室識別情報に対応する居室に設置されたコントローラ部に送信し、受信手段は、サーバから送信された不審者情報を受信し、出力手段は、受信手段によって受信された不審者情報を出力することにより、携帯端末からの識別情報を用いて居住者以外の不審者を判定して通知することができるため、確実性の高い不審者情報を得ることができ、不審者の確認負担を軽減することができという効果を奏する。
【００３２】
また、請求項９にかかる発明によれば、不審者判定手段は、さらに監視領域ごとに検知情報受信手段によって受信された検知情報の数量と、端末情報取得手段によって取得された識別情報の数量が異なる場合に、当該監視領域に不審者が存在すると判定することにより、監視領域ごとに携帯端末を所持していない者が不審者と判定されるため、監視領域での不審者を確実に把握することができるという効果を奏する。
【００３３】
また、請求項１０にかかる発明によれば、受信手段によって、他の携帯端末から送信された携帯端末を識別する識別情報を受信し、計数手段によって、所定の時間内に受信手段によって受信された識別情報の数量を計数し、出力手段によって、計数手段によって計数された識別情報の数量を出力することにより、目視と識別情報の数量で居住者以外の人の存在を把握することができるため、簡易な装置で危険を認識することができるという効果を奏する。
【００３４】
また、請求項１１にかかる発明によれば、受信手段によって、他の携帯端末から送信された携帯端末を識別する識別情報を受信し、送信手段によって、所定の時間内に受信手段によって受信された識別情報を警備装置に送信し、受信手段によって、携帯端末から送信された識別情報を受信し、計数手段によって、居住者を識別する居住者識別情報を記憶する居住者識別記憶手段に記憶された居住者識別情報と合致する受信手段によって受信された識別情報の数量を計数し、数量送信手段によって、計数手段によって計数された識別情報の数量を携帯端末に送信し、数量受信手段によって、警備装置から送信された識別情報の数量を受信し、出力手段によって、数量受信手段によって受信された識別情報の数量を出力することにより、目視と識別情報の数量で居住者以外の人の存在を把握することができるため、容易に危険を認識することができるという効果を奏する。
【００３５】
また、請求項１２にかかる発明によれば、検知情報受信ステップによって、監視領域での異常の発生および当該監視領域を示す検知情報を受信し、出力ステップによって、検知情報受信ステップによって検知情報を受信した場合で、かつ、複数の監視領域と、監視領域のそれぞれに対して当該監視領域で発生した検知情報の通知または非通知のいずれかを対応付けた通知設定情報において検知情報に含まれる監視領域に対応して検知情報の通知が記憶されている場合に、当該監視領域に対応する検知情報を出力することにより、予め設定された監視対象のみの検知情報が出力されるため、居住者による異常情報の確認負担が軽減できるとともに、危険を回避することができるという効果を奏する。
【００３６】
また、請求項１３にかかる発明によれば、検知情報受信ステップによって、監視領域での異常の発生および当該監視領域を示す検知情報を受信し、送信ステップによって、検知情報受信ステップによって検知情報を受信した場合で、かつ、複数の監視領域と、監視領域のそれぞれに対して当該監視領域で発生した検知情報の通知または非通知のいずれかを対応付けた通知設定情報において検知情報に含まれる監視領域に対応して検知情報の通知が記憶されている場合に、当該監視領域に対応する検知情報を携帯端末に送信し、受信ステップによって、警備装置から送信された検知情報を受信し、出力ステップによって、受信ステップによって受信された検知情報を出力することにより、予め設定された監視対象のみの検知情報が出力されるため、居住者による異常情報の確認負担が軽減できるとともに、危険を回避することができるという効果を奏する。また、携帯端末に異常情報を出力することにより、居室以外にいる場合においても危険を回避することができるという効果を奏する。
【００３７】
また、請求項１４にかかる発明によれば、検知情報受信ステップによって、監視領域での異常の発生および当該監視領域を示す検知情報を受信し、送信ステップによって、検知情報受信ステップによって検知情報を受信した場合で、かつ、居室を識別する居室識別情報と、複数の監視領域と、監視領域のそれぞれに対して当該監視領域で発生した検知情報の通知または非通知のいずれかを対応付けた通知設定情報において居室識別情報ごとに検知情報に含まれる監視領域に対応して検知情報の通知が記憶されている場合に、当該監視領域に対応する検知情報を居室識別情報に対応する居室に設置されたコントローラ部に送信し、受信ステップによって、サーバから送信された検知情報を受信し、出力ステップによって、受信ステップによって受信された検知情報を出力することにより、各居室のコントローラ部ではなく、サーバ装置で不審者を判定し、不審者情報を居室の操作部に送信して出力するため、ネットワークに対する負荷が軽減でき、各居室のコントローラ部の構成や機能を簡易なものにすることができるという効果を奏する。
【００３８】
また、請求項１５にかかる発明によれば、受信ステップによって、他の携帯端末から送信された携帯端末を識別する識別情報を受信し、計数ステップによって、所定の時間内に受信ステップによって受信された識別情報の数量を計数し、出力ステップによって、計数ステップによって計数された識別情報の数量を出力することにより、目視と識別情報の数量で居住者以外の人の存在を把握することができるため、簡易な装置で危険を認識することができるという効果を奏する。
【００３９】
また、請求項１６にかかる発明によれば、受信ステップによって、他の携帯端末から送信された携帯端末を識別する識別情報を受信し、送信ステップによって、所定の時間内に受信ステップによって受信された識別情報を警備装置に送信し、受信ステップによって、携帯端末から送信された識別情報を受信し、計数ステップによって、居住者を識別する居住者識別情報を記憶する居住者識別記憶手段に記憶された居住者識別情報と合致する受信ステップによって受信された識別情報の数量を計数し、数量送信ステップによって、計数ステップによって計数された識別情報の数量を携帯端末に送信し、数量受信ステップによって、警備装置から送信された識別情報の数量を受信し、出力ステップによって、数量受信ステップによって受信された識別情報の数量を出力することにより、目視と識別情報の数量で居住者以外の人の存在を把握することができるため、容易に危険を認識することができるという効果を奏する。
【００４０】
また、請求項１７にかかる発明によれば、請求項１２〜１６のいずれか一つに記載された警備方法をコンピュータに実行させることにより、予め設定された監視対象のみの検知情報が出力されるため、居住者による異常情報の確認負担が軽減できるとともに、危険を回避することができるという効果を奏する。また、携帯端末に異常情報を出力することにより、居室以外にいる場合においても危険を回避することができるという効果を奏する。また、各居室のコントローラ部ではなく、サーバ装置で不審者を判定し、不審者情報を居室の操作部に送信して出力するため、ネットワークに対する負荷が軽減でき、各居室のコントローラ部の構成や機能を簡易なものにすることができるという効果を奏する。目視と識別情報の数量で居住者以外の人の存在を把握することができるため、簡易な装置で危険を認識することができるという効果を奏する。また、目視と識別情報の数量で居住者以外の人の存在を把握することができるため、容易に危険を認識することができるという効果を奏する。
【発明を実施するための最良の形態】
【００４１】
以下に添付図面を参照して、本発明にかかる警備装置、警備システム、携帯端末、警備方法、警備プログラムの最良な実施の形態を詳細に説明する。なお、本発明はこれらの実施の形態に限定されるものではない。
【００４２】
（第１の実施の形態）
第１の実施の形態について、添付図面を参照して説明する。第１の実施の形態にかかる警備システムは、予め設定された監視領域で不審者が存在すると判定された場合に居室の操作部や居住者が所持している携帯端末に不審者情報を出力するものである。
【００４３】
まず、本発明が適用される警備システムの構成例について説明する。図１は、第１の実施の形態にかかる警備システムの構成を示すブロック図である。本実施の形態にかかる警備システム１０は、警備装置１００と、携帯端末２００と、を備えている。
【００４４】
警備装置１００は、予め定められた監視領域での取得された情報によって不審者の存在を判定し、操作部に不審者情報を出力するものである。ここで、不審者とは、警備対象の建物の居住者や建物内のオフィス等の勤務者以外の者をいい、具体的には後述する携帯端末２００を所持していない者である。警備装置１００は、さらに複数の携帯端末リードライト部１０１ａ〜ｎと、複数のセンサ検知部１０２ａ〜ｎと、複数のコントローラ部１０３ａ〜ｍと、を備えている。携帯端末リードライト部１０１ａ〜ｎおよびセンサ検知部１０２ａ〜ｎは、警備対象である建物の内外の監視領域ごとに設置されている。コントローラ部１０３ａ〜ｍは、建物内の居室やテナント等ごとに設置されている。なお、警備装置１００は、各コントローラ部１０３から図示しない監視センタと電話回線、無線ネットワーク、インターネットなどのネットワークを介して接続されている。
【００４５】
携帯端末リードライト部１０１は、居住者または予め建物内に入場が許可されている者（例えば、清掃作業員や管理人等）が所持している携帯端末２００に記憶されている識別情報を読取り、読取られた識別情報および当該携帯端末リードライト部１０１が設置されている監視領域を示す監視領域情報を各コントローラ部１０３に送信する。また、携帯端末リードライト部１０１は、コントローラ部１０３から送信され、受信した不審者情報を携帯端末２００に送信するものである。携帯端末リードライト部１０１は、警備対象である建物の内外に設置されているセンサ１０２１の監視領域に対応して複数設置される。
【００４６】
図２は、本実施の形態にかかる携帯端末リードライト部の構成を示すブロック図である。携帯端末リードライト部１０１は、さらに端末情報送受信部１０１１と、入出力制御部１０１２と、送受信部１０１３と、を備えている。また、図示しない監視領域情報記憶部に、当該携帯端末リードライト部１０１が設置されている監視領域を示す監視領域情報、例えば“１Ｆエレベータホール”等が格納されている。携帯端末リードライト部１０１は、センサ検知部１０２を介してコントローラ部１０３に接続されている。
【００４７】
端末情報送受信部１０１１は、通信領域内に存在する携帯端末２００に記憶された識別情報を読取るものである。また、端末情報送受信部１０１１は、コントローラ部１０３から送信された不審者情報を携帯端末２００に送信するものである。具体的には、ＲＦＩＤ（Radio Frequency Identification）の技術を用いて携帯端末２００との間で情報を送受信するものである。
【００４８】
入出力制御部１０１２は、端末情報送受信部１０１１によって読取られた識別情報を取得し、不審者情報を送出するものである。送受信部１０１３は、入出力制御部１０１２によって取得された識別情報および監視領域情報を、センサ検知部１０２を介してコントローラ部１０３に送信するものである。ここで、センサ検知部１０２を介してコントローラ部１０３への送受信を行うとは、センサが検知した検知情報をコントローラ部１０３に送信するために構築されている有線のセンサネットワークを用いて、携帯端末リードライト部１０１からの情報の送受信を行うものである。なお、かかるセンサネットワークを用いず、独自のネットワークや無線ネットワークによって携帯端末リードライト部１０１からの情報をコントローラ部１０３に送受信してもよい。
【００４９】
センサ検知部１０２は、監視領域内で人体等の異常を検知し、検知した検知情報を各コントローラ部１０３に送信するものである。なお、検知情報には、センサ１０２１が設置されている監視領域を示す監視領域情報を含んでいる。図３は、本実施の形態にかかるセンサ検知部の構成を示すブロック図である。センサ検知部１０２は、さらにセンサ１０２１と、検知情報取得部１０２２と、送受信部１０２３と、を備えている。
【００５０】
センサ１０２１は、人感センサであり、たとえば赤外線の受光量の変化をもとに人の存在を検出する赤外線センサ、赤外線などの受信が遮断されることで人の存在を検出する遮断センサ、電磁波の乱れで人の存在を検知する気配センサ、およびマグネットにより扉の開閉を検出するマグネットセンサなどの監視領域の異常を検知する各種センサであり、監視領域への侵入者を検知する等の目的で設置されたものである。なお、上述したセンサは、設置方法（例えばセンサが検知する領域を限定したり、スポット状にするように設置すること）によって人数をカウントすることが可能となる。また、センサ１０２１は、監視領域内の検知人数をより正確に判定するために、監視領域内を撮像した画像情報等によって人数を判定するセンサ、例えば画像センサ等を用いてもよい。
【００５１】
検知情報取得部１０２２は、センサ１０２１によって検知された検知情報を取得するものである。送受信部１０２３は、検知情報取得部１０２２によって取得された検知情報をコントローラ部１０３に送信するものである。
【００５２】
次に、コントローラ部１０３は、携帯端末リードライト部１０１によって読取られた識別情報および監視領域情報と、センサ検知部１０２によって検知された検知情報とを受信し、それらの情報から監視領域内に不審者が存在するか否かを判定するものである。図４は、本実施の形態にかかるコントローラ部の構成を示すブロック図である。コントローラ部１０３は、さらに送受信部１０３１と、不審者判定部１０３２と、入出力制御部１０３３と、識別情報記憶部１０３４と、操作部１０３５と、通知設定データベース１０３６と、を備えている。
【００５３】
通知設定データベース１０３６は、コントローラまたは携帯端末に対して、各監視領域の不審者の判定結果を通知するか否かを規定するものである。図５は、通知設定データベースのデータ構成の一例を示す説明図である。通知設定データベース１０３６は、監視領域と、コントローラへの通知または非通知の設定と、携帯端末への通知または非通知の設定と、を対応付けて記憶している。
【００５４】
送受信部１０３１は、携帯端末リードライト部１０１またはセンサ検知部１０２と情報の送受信を行うものである。不審者判定部１０３２は、携帯端末リードライト部１０１によって読取られた識別情報および携帯端末リードライト部１０１が設置されている監視領域情報と、センサ検知部１０２によって検知された検知情報とに基づいて、当該監視領域内に不審者が存在しているか否かを判定するものである。
【００５５】
識別情報記憶部１０３４は、当該コントローラ部１０３が設置されている居室の居住者が所持する携帯端末２００の識別情報を記憶するものである。携帯端末２００から読取られた識別情報と、識別情報記憶部１０３４に記憶された識別情報が同一であれば、当該居室の居住者であると判断することができる。
【００５６】
操作部１０３５は、警備に関する情報が居住者によって入出力されるものである。また、操作部１０３５は、監視領域ごとに不審者情報を操作部１０３５または携帯端末２００に通知して出力するか否かの情報が入力されるとともに、不審者判定部１０３２によって判定された不審者情報が出力されるものである。具体的には、液晶タッチパネルやテンキー、設定ボタン等である。
【００５７】
入出力制御部１０３３は、操作部１０３５からの入出力情報を送出または取得するものである。また、入出力制御部１０３３は、操作部１０３５によって入力された監視領域ごとに不審者情報を操作部１０３５または携帯端末２００に通知するか通知しないかのいずれかの情報を取得し、通知設定データベース１０３６に格納するものである。
【００５８】
図６は、通知対象である監視領域および通知先を設定する際の操作部の一例を示す説明図である。図６に示す操作部１０３５は、不審者が滞在していると判定された場合に、コントローラ部１０３または携帯端末２００に通知し、出力させる監視領域を設定している。図６に示す例は、部屋番号３０４の居住者が所持している携帯端末２００に対して不審者の滞在の通知対象とする監視領域を指定したものである。この場合、階段３１、各部屋の玄関３２〜３５、エレベータホール３６を携帯端末に通知する監視領域として設定している。設定方法としては、テンキーから監視領域番号を入力するものである。なお、表示部がタッチパネルであれば直接監視領域に触れることによって設定してもよい。携帯端末挿入部は、当該居室の居住者が所持する携帯端末２００を収納するための挿入部である。詳細は後述する。
【００５９】
図７は、不審者情報を出力する際の操作部の一例を示す説明図である。図７に示すように、監視対象としていた３階エレベータホールで不審者が存在していると判定された場合は不審者の位置を表示するとともに、ディスプレイに注意を喚起する文言、例えば“注意：居住者外人物滞在”を表示する。また、スピーカから注意を喚起する音声メッセージやブザー音等を出力してもよい。
【００６０】
携帯端末２００は、居住者等が所持するものである。図８は、本実施の形態にかかる携帯端末の構成を示すブロック図である。携帯端末２００は、さらに識別情報記憶部２０１と、送受信部２０２と、出力部２０３とを備えている。識別情報記憶部２０１は、携帯端末２００を所持している者を識別するための識別情報が記憶されている。送受信部２０２は、携帯端末リードライト部１０１の送受信領域内に存在する人が携帯端末２００を所持している場合、識別情報が携帯端末リードライト部１０１に送信される。また、送受信部２０２は、端末情報送受信部１０１１から送信された不審者情報を受信するものである。出力部２０３は、送受信部２０２によって受信された不審者情報を出力するものである。不審者情報の出力は、例えば不審者の人数をＬＥＤの点灯によって表示することや、画面に不審者の人数を示す数字を表示することによって行う。また、スピーカから注意を喚起するためのブザー音や音声メッセージを出力してもよい。
【００６１】
図９は、本実施の形態にかかる携帯端末の適用の一例を示す説明図である。図９は、居室の出入口の鍵に携帯端末２００を取り付けた例である。図９に示すように、携帯端末２００は、出力部２０３として不審者の人数を示すＬＥＤや音声を出力するスピーカを備えている。なお、監視領域ごとに点灯するＬＥＤを定め、不審者が存在すると判定された監視領域に対応するＬＥＤを点灯させてもよい。また、携帯端末２００は、鍵と一体化した構成としてもよい。
【００６２】
図１０は、本実施の形態にかかる携帯端末の適用の他の例を示す説明図である。図１０に示す携帯端末２００は、図９と同様に居室の出入口の鍵に携帯端末２００を取り付けた構成をしている。図１０に示すように、携帯端末２００は出力部２０３としてディスプレイやスピーカを備える。ディスプレイやスピーカは、不審者の人数や不審者が検知された監視領域を出力する。また、携帯端末２００は、不審者に対する注意を喚起するためにバイブレーション機能を備えてもよい。
【００６３】
上述したように構成されている警備システム１０による通知先設定処理について説明する。図１１は、警備装置のコントローラ部が行う通知先設定処理手順を示すフローチャートである。
【００６４】
まず、コントローラ部１０３の入出力制御部１０３３は、操作部１０３５によって入力された、通知対象機器ごと（コントローラまたは携帯端末）に不審者の判定結果を通知する監視領域を取得する（ステップＳ１１０１）。図６に示す場合を一例として説明する。部屋番号“３０４”に設置されているコントローラ部１０３の操作部１０３５によって監視領域が入力され、入出力制御部１０３３は、携帯端末に不審者の判定結果を通知する監視領域として、階段３１、各部屋の玄関３２〜３５、エレベータホール３６を取得する。入出力制御部１０３３は、通知対象機器ごとの監視領域の通知の有無を通知設定データベース１０３６に格納する（ステップＳ１１０２）。
【００６５】
次に、警備システムによる不審者通知処理について説明する。図１２は、警備システムが行う不審者通知処理手順を示すフローチャートである。ここでは、不審者情報をコントローラ部１０３の操作部１０３５に出力する場合について説明する。
【００６６】
まず、不審者判定部１０３２は、通知設定データベース１０３６から不審者通知をコントローラ部１０３に対して行う監視領域を取得する（ステップＳ１２０１）。送受信部１０３１は、各監視領域のセンサ検知部１０２の検知情報を受信する（ステップＳ１２０２）。なお、検知情報には、監視領域情報を含んでいる。また、送受信部１０３１は、各監視領域の携帯端末リードライト部１０１から送信される携帯端末２００の識別情報を受信する（ステップＳ１２０３）。なお、識別情報には、当該識別情報が読取られた監視領域情報が付加されているものとする。
【００６７】
不審者判定部１０３２は、監視領域ごとにセンサ１０２１による検知情報の数と、携帯端末２００の識別情報の数とが等しいか否かを判断する（ステップＳ１２０４）。すなわち、監視領域内でのセンサ１０２１によって検知された人の数と検知された人が所持している携帯端末２００の数から、携帯端末２００を所持しない者、すなわち不審者の有無を判断するものである。センサ１０２１による検知情報数と携帯端末２００の識別情報数とが等しいと判断した場合は（ステップＳ１２０４：Ｙｅｓ）、不審者は存在しないと判断されるため、処理を抜ける。
【００６８】
センサ１０２１による検知情報数と、携帯端末２００の識別情報数とが等しくないと判断した場合には（ステップＳ１２０４：Ｎｏ）、不審者が存在すると判定する（ステップＳ１２０５）。なお、センサ１０２１による検知情報数と、携帯端末２００の識別情報数との差分から、さらに不審者の人数を求めてもよい。さらに、不審者判定部１０３２は、コントローラ部１０３の通知対象となっている監視領域に不審者が存在するか否かを判断する（ステップＳ１２０６）。コントローラ部１０３の通知対象となっている監視領域に不審者が存在しないと判断した場合は（ステップＳ１２０６：Ｎｏ）、処理を抜ける。コントローラ部１０３の通知対象となっている監視領域に不審者が存在すると判断した場合は（ステップＳ１２０６：Ｙｅｓ）、操作部１０３５から不審者情報、例えば不審者が存在すると判断された監視領域、不審者の位置や人数等を出力する（ステップＳ１２０７）。
【００６９】
このように、居住者によって予め設定された監視領域に不審者が存在するか否かを判定し、不審者が存在すると判定された場合に不審者情報を図、文字や音声で出力することにより、居住者が通常使用する経路での不審者の有無を確認でき、他の監視領域での不在者情報が出力されることがないため、居住者は無駄な情報に煩わされることなく、監視の負担が軽減される。また、居住者が使用する経路について不審者情報が出力されるため、居住者は不審者に遭遇したり、不審者から危害を加えられるという危険を回避することができる。
【００７０】
なお、本実施の形態では、センサ検知部１０２によって検知された検知情報と携帯端末リードライト部１０１によって読取られた携帯端末２００の識別情報および監視領域情報によって不審者を判定したが、２つの情報を用いず、センサ検知部１０２の検知情報のみで異常を判定して出力してもよい。また、コントローラ部１０３に表示する情報は、不審者情報のみでなく、他の情報、例えば居室への侵入情報や火災情報などを出力してもよい。その際は、情報の種別によって重要度を設定し、出力を制御してもよい。例えば、火災情報の場合は、予め設定された監視領域に関係なく、すべての監視領域での情報を出力するようにしてもよい。火災報知機での報知だけでなく、どこで火災が発生しているかの情報は、居住者がより安全に脱出することを手助けするのに有用である。
【００７１】
また、上述した説明では、センサ検知部１０２によって検知された検知情報と携帯端末リードライト部１０１によって読取られた携帯端末２００の識別情報および監視領域情報がコントローラ部１０３に送信され、予め設定された監視領域に不審者が存在すると判定されれば不審者情報が出力されるが、不審者確認ボタンを押下した時や、警備装置１００が警備状態である場合のみに、予め設定された監視領域について不審者の有無を判定し、出力してもよい。これにより、居住者が必要な場合のみに、不審者情報を確認することが可能となり、居住者の異常情報の確認負担を軽減することができる。
【００７２】
次に、携帯端末に不審者情報を出力する場合の処理について説明する。図１３−１、図１３−２は、警備システムが行う不審者通知処理手順を示すフローチャートである。
【００７３】
まず、利用者は、携帯端末２００の電源をＯＮにする。携帯端末２００の送受信部２０２は、識別情報記憶部２０１に記憶されている識別情報を、警備装置１００の携帯端末リードライト部１０１に送信する（ステップＳ１３０１）。
【００７４】
警備装置１００では、携帯端末リードライト部１０１の端末情報送受信部１０１１が、送受信範囲内の携帯端末２００から送信された識別情報を受信する（ステップＳ１３０２）。送受信部１０１３は、センサネットワークを介して識別情報をコントローラ部１０３に送信する（ステップＳ１３０３）。具体的には、端末情報リードライト部１０１の送受信部１０１３から送信された識別情報は、センサ検知部１０２の送受信部１０２３で送受信を行い、センサの検知情報を送受信するネットワークを介して、コントローラ部１０３の送受信部１０３１に送信される。
【００７５】
各コントローラ部１０３において、送信された識別情報が当該居住者の識別情報か否かを判断する（ステップＳ１３０４）。具体的には、送信された識別情報と識別情報記憶部１０３４に記憶された識別情報とを照合し、同一であれば、送信された識別情報が当該居住者の識別情報であると判断する。送信された識別情報が当該居住者の識別情報でないと判断した場合には（ステップＳ１３０４：Ｎｏ）、当該コントロール部１０３での処理は行わない。
【００７６】
送信された識別情報が当該居住者の識別情報であると判断した場合には（ステップＳ１３０４：Ｙｅｓ）、不審者判定部１０３２は通知設定データベース１０３６から携帯端末２００に不審者情報を通知する監視領域を取得する（ステップＳ１３０５）。送受信部１０３１は、各監視領域のセンサ検知部１０２から送信される検知情報を受信する（ステップＳ１３０６）。なお、検知情報には、監視領域情報を含んでいる。送受信部１０３１は、各監視領域の携帯端末リードライト部１０１から送信される識別情報を受信する（ステップＳ１３０７）。なお、ここでは、識別情報に当該識別情報が読取られた監視領域情報が付加されているものとする。
【００７７】
不審者判定部１０３２は、監視領域ごとにセンサ１０２１による検知情報数と、携帯端末２００の識別情報数とが等しいか否かを判断する（ステップＳ１３０８）。センサによる検知情報数と、携帯端末２００の識別情報数とが等しいと判断した場合は（ステップＳ１３０８：Ｙｅｓ）、不審者は存在しないと判断されるため、処理を抜ける。
【００７８】
センサ１０２１による検知情報数と、携帯端末２００の識別情報数とが等しくないと判断した場合は（ステップＳ１３０８：Ｎｏ）、不審者が存在すると判断する（ステップＳ１３０９）。なお、センサ１０２１による検知情報数と、携帯端末２００の識別情報数との差分から、さらに不審者の人数を求めてもよい。さらに、不審者判定部１０３２は、携帯端末２００の通知対象となっている監視領域に不審者が存在するか否かを判断する（ステップＳ１３１０）。携帯端末２００の通知対象となっている監視領域に不審者が存在していないと判断した場合は（ステップＳ１３１０：Ｎｏ）、処理を抜ける。携帯端末２００の通知対象となっている監視領域に不審者が存在すると判断した場合は（ステップＳ１３１０：Ｙｅｓ）、送受信部１０３１は不審者情報（例えば不審者の位置や人数、監視領域等）と識別情報を携帯端末リードライト部１０１に送信する（ステップＳ１３１１）。
【００７９】
携帯端末リードライト部１０１の送受信部１０１３は、不審者情報と識別情報を受信し、端末情報送受信部１０１１から携帯端末２００に不審者情報と識別情報を送信する（ステップＳ１３１２）。携帯端末２００では、送受信部２０２が不審者情報と識別情報を受信する（ステップＳ１３１３）。出力部２０３は、受信した識別情報と識別情報記憶部２０１に記憶されている識別情報が一致するか否かを判断する（ステップＳ１３１４）。受信した識別情報と識別情報記憶部２０１に記憶されている識別情報が一致すると判断した場合には（ステップＳ１３１４：Ｙｅｓ）、出力部２０３は不審者情報を出力する（ステップＳ１３１５）。受信した識別情報と識別情報記憶部２０１に記憶されている識別情報が一致しないと判断した場合は（ステップＳ１３１４：Ｎｏ）、処理を抜ける。
【００８０】
このように、居住者が所持している携帯端末に不審者情報を出力することができるため、居住者は外出から帰った建物の玄関付近において通常使用する通路に不審者が滞在していないか確認することができる。よって、居住者は不審者に遭遇したり、不審者から危害を加えられるという危険を回避することができる。
【００８１】
次に、上述した不審者通知処理について実際に不審者を検知しコントローラ部に不審者情報を出力する処理を図１２のフローチャートを用いて説明する。図１４は、警備対象である建物に滞在する居住者等の位置関係を示す説明図である。図１４に示すように、居住者１は部屋番号“３０４”の居室に居る。携帯端末２００を所持する人２が３階のエレベータホールに滞在し、携帯端末２００を所持しない人３が１階のエレベータホールに滞在している。処理の説明を簡潔にするために、監視領域が“１Ｆエレベータホール”と“３Ｆエレベータホール”の２箇所である場合について説明する。
【００８２】
まず、不審者判定部１０３２は、通知設定データベース１０３６から不審者の通知をコントローラ部に対して行う監視領域を取得する（ステップＳ１２０１）。例えば、不審者が監視領域“１Ｆエレベータホール”または“３Ｆエレベータホール”に存在した場合、コントローラに“通知”すると設定されているものとする。
【００８３】
送受信部１０３１は、各センサの検知情報を受信する（ステップＳ１２０２）。具体的には、監視領域“３Ｆエレベータホール”のセンサ検知部１０２によって検知された人２の検知情報が、居室“３０４”のコントローラ部１０３の送受信部１０３１によって受信される。また、監視領域“１Ｆエレベータホール”のセンサ検知部１０２によって検知された人３の検知情報が、居室“３０４”のコントローラ部１０３の送受信部１０３１によって受信される。
【００８４】
次に、送受信部１０３１は、携帯端末リードライト部１０１によって取得された携帯端末２００の識別情報を受信する（ステップＳ１２０３）。具体的には、監視領域“３Ｆエレベータホール”に滞在する人２の所持する携帯端末２００の識別情報が、監視領域“３Ｆエレベータホール”の携帯端末リードライト部１０１によって受信され、さらにコントローラ部１０３の送受信部１０３１によって受信される。不審者判定部１０３２は、センサ１０２１による検知情報の数と、携帯端末の識別情報の数とが等しいか否かを判断する（ステップＳ１２０４）。具体的には、センサによる検知情報数は“２”であり、携帯端末の識別情報数は“１”である。
【００８５】
よって、センサ１０２１による検知情報数と携帯端末２００の検知情報数とは等しくないと判断され（ステップＳ１２０４：Ｎｏ）、不審者が存在すると判断される（ステップＳ１２０５）。さらに、不審者判定部１０３２は、コントローラ部１０３の通知対象となっている監視領域、すなわち“１Ｆエレベータホール”と“３Ｆエレベータホール”に不審者が存在するか否かを判断する（ステップＳ１２０６）。居室“３０４”のコントローラ部１０３の通知対象となっている監視領域“１Ｆエレベータホール”に不審者が存在すると判断し（ステップＳ１２０６：Ｙｅｓ）、操作部１０３５のディスプレイに監視領域“１Ｆエレベータホール”の不審者の位置を表示し、音声メッセージを出力する（ステップＳ１２０７）。
【００８６】
さらに、不審者通知処理について実際に不審者を検知し、携帯端末に不審者情報を出力する処理について図１３−１、図１３−２のフローチャートを用いて説明する。図１５は、警備対象である建物に滞在する居住者等の位置関係を示す説明図である。図１５に示すように、居住者１は外出から帰宅し、建物の玄関に滞在している。１階のエレベータホールには、携帯端末２００を所持する人２と、携帯端末２００を所持しない人３が滞在している。説明を簡潔にするために、監視領域が“建物玄関”と“１Ｆエレベータホール”の２箇所である場合について説明する。
【００８７】
まず、居住者１は、携帯端末２００の電源をＯＮにする。携帯端末２００の送受信部２０２は、識別情報記憶部２０１に記憶されている識別情報、例えば“ＸＸＸ００１０１”を、携帯端末リードライト部１０１に送信する（ステップＳ１３０１）。具体的には、監視領域“建物玄関”の携帯端末リードライト部１０１に送信される。
【００８８】
警備装置１００では、建物玄関に設定された携帯端末リードライト部１０１の端末情報送受信部１０１１の送受信範囲内に入った居住者１が所持する携帯端末２００から送信された識別情報“ＸＸＸ００１０１”を受信する（ステップＳ１３０２）。送受信部１０３１は、センサネットワークを介して識別情報“ＸＸＸ００１０１”をコントローラ部１０３に送信する（ステップＳ１３０３）。
【００８９】
各コントローラ部１０３、例えば居室“１０１”のコントローラ部１０３において、送信された識別情報“ＸＸＸ００１０１”が当該居住者の識別情報か否かを判断する（ステップＳ１３０４）。具体的には、送信された識別情報“ＸＸＸ００１０１”と、識別情報記憶部１０３４に記憶された識別情報“ＸＸＸ００１０１”とを照合し、送信された識別情報が当該居住者の識別情報であると判断し（ステップＳ１３０４：Ｙｅｓ）、不審者判定部１０３２は通知設定データベース１０３６から携帯端末２００に不審者情報を通知する監視領域を取得する（ステップＳ１３０５）。例えば、不審者が監視領域“１Ｆエレベータホール”に存在した場合、携帯端末に“通知”すると設定されているものとする。
【００９０】
送受信部１０３１は、センサ検知部１０２から送信される検知情報を受信する（ステップＳ１３０６）。具体的には、監視領域“１Ｆエレベータホール”に設置されたセンサ検知部１０２によって人２と人３の検知情報を受信され、監視領域“建物玄関”に設置されたセンサ検知部１０２によって人１の検知情報を受信される。さらに、送受信部１０３１は携帯端末リードライト部１０１から送信される識別情報を受信する（ステップＳ１３０７）。具体的には、監視領域“１Ｆエレベータホール”に設置された携帯端末リードライト部１０１によって人２の所持する携帯端末２００の識別情報が受信され、監視領域“建物玄関”に設置された携帯端末リードライト部１０１によって、人１の所持する携帯端末２００の識別情報が受信される。
【００９１】
不審者判定部１０３２は、すべてのセンサ１０２１による検知情報数“３”と、携帯端末２００の識別情報数“２”とが等しくないと判断し（ステップＳ１３０８：Ｎｏ）、不審者が存在すると判断する（ステップＳ１３０９）。さらに、不審者判定部１０３２は、コントローラ部１０３の通知対象となっている監視領域“１Ｆエレベータホール”に不審者が存在すると判断し（ステップＳ１３１０：Ｙｅｓ）、送受信部１０３１は不審者情報（例えば不審者が存在する監視領域や不審者の人数等）と識別情報“ＸＸＸ００１０１”を携帯端末リードライト部１０１に送信する（ステップＳ１３１１）。
【００９２】
携帯端末リードライト部１０１の送受信部１０１３は、不審者情報と識別情報を受信し、端末情報送受信部１０１１から携帯端末２００に不審者情報と識別情報を送信する（ステップＳ１３１２）。人１が所持している携帯端末２００では、送受信部２０２が不審者情報と識別情報を受信する（ステップＳ１３１３）。出力部２０３は、受信した識別情報“ＸＸＸ００１０１”と識別情報記憶部２０１に記憶されている識別情報“ＸＸＸ００１０１”が一致すると判断し（ステップＳ１３１４：Ｙｅｓ）、出力部２０３は不審者情報を出力する（ステップＳ１３１５）。例えば、携帯端末２００のディスプレイに“注意：１Ｆエレベータホールに不審者１名”と表示する。また、スピーカから音声メッセージやブザー音を出力し、注意を喚起するために携帯端末２００をバイブレーションさせてもよい。
【００９３】
なお、携帯端末２００は、コントローラ部１０３で行っている不審者判定処理を携帯端末２００で行ってもよい。このような場合の通知対象とする監視領域の設定は、図１１のフローチャートで示したようにコントローラ部１０３で設定を行い、図６で示した携帯端末挿入部に携帯端末２００を挿入する際に読込むようにしてもよい。
【００９４】
（第２の実施の形態）
第２の実施の形態について、添付図面を参照して説明する。第２の実施の形態にかかる警備システムは、第１の実施の形態と同様に、予め設定された監視領域で不審者が存在すると判定された場合に居室の操作部や居住者が所持している携帯端末に不審者情報を出力するものである。本実施の形態は、第１の実施の形態において各居室に設置されたコントローラ部ごとに行っていた不審者判定処理をサーバ装置で一元的処理する点が異なる。
【００９５】
本発明が適用される警備システムの構成例について、第１の実施の形態と異なる部分を説明する。他の部分については第１の実施の形態と同様であるので、上述した説明を参照し、ここでの説明を省略する。図１６は、第２の実施の形態にかかる警備システムの構成を示すブロック図である。
【００９６】
本実施の形態の警備システム２０は、警備装置３００と、携帯端末２００とを備えている。警備装置３００は、さらに複数の携帯端末リードライト部１０１ａ〜ｎと、複数のセンサ検知部１０２ａ〜ｎと、複数のコントローラ部３０３ａ〜ｍと、サーバ装置３０４とを備えている。ここで、警備装置３００の携帯端末リードライト部１０１ａ〜ｎと、センサ検知部１０２ａ〜ｎと、携帯端末２００の構成、機能は、第１の実施の形態と同様であるので、説明を省略する。
【００９７】
コントローラ部３０３は、サーバ装置３０４で判定された不審者情報を受信し、出力するものである。図１７は、本実施の形態にかかるコントローラ部の構成を示すブロック図である。コントローラ部３０３は、さらに送受信部１０３１と、居室情報記憶部３０３２と、入出力制御部３０３３と、操作部１０３５と、を備えている。ここで、送受信部１０３１と操作部１０３５の構成、機能は、第１の実施の形態と同様であるので、説明を省略する。
【００９８】
居室情報記憶部３０３２は、コントローラ部１０３が設置されている居室を識別する居室識別情報を記憶するものである。居室識別情報は、例えば部屋番号“１０１”を格納する。入出力制御部３０３３は、操作部１０３５から入力された不審者確認指示を取得し、サーバ装置３０４から送信された不審者情報を操作部１０３５に送出するものである。
【００９９】
サーバ装置３０４は、携帯端末リードライト部１０１によって読取られた識別情報および携帯端末リードライト部１０１が設置されている監視領域情報と、センサ検知部１０２によって検知された検知情報から監視領域内に不審者が滞在するか否かを判定し、予め設定された居室ごとの通知対象の監視領域に不審者が存在した場合に、各居室のコントローラ部に不審者情報を送信するものである。図１８は、本実施の形態にかかるサーバ装置の構成を示すブロック図である。サーバ装置３０４は、さらに送受信部３０４１と、不審者判定部３０４２と、通知設定データベース３０４３と、を備えている。
【０１００】
通知設定データベース３０４３は、各居室の通知対象の監視領域を規定するものである。図１９は、通知設定データベースのデータ構成の一例を示す説明図である。通知設定データベース３０４３は、居室と、監視領域ごとの携帯端末、コントローラへの通知または非通知の設定と、を対応付けて記憶する。
【０１０１】
送受信部３０４１は、携帯端末リードライト部１０１からの識別情報および監視領域情報やセンサ検知部１０２からの検知情報を受信するとともに、不審者判定部３０４２によって判定された不審者情報をコントローラ部３０３または携帯端末２００へ送信するものである。
【０１０２】
不審者判定部３０４２は、監視領域ごとの携帯端末リードライト部１０１から送信された識別情報および監視領域情報とセンサ検知部１０２から送信された検知情報とに基づいて、監視領域内に不審者が滞在しているか否かを判定するものである。
【０１０３】
次に、上述したように構成されている警備システムによる不審者通知処理について説明する。図２０は、警備装置が行う不審者通知処理手順を示すフローチャートである。
【０１０４】
まず、サーバ装置３０４において、不審者判定部３０４２は、通知設定データベース３０４３から居室識別情報に対応した不審者通知の対象である監視領域を取得する（ステップＳ２００１）。送受信部３０４１は、各監視領域のセンサ検知部１０２から送信される検知情報を受信する（ステップＳ２００２）。なお、検知情報には、監視領域情報を含んでいる。送受信部３０４１は、各監視領域の携帯端末リードライト部１０１から送信される識別情報を受信する（ステップＳ２００３）。なお、識別情報には、当該識別情報が読取られた監視領域情報が付加されている。
【０１０５】
不審者判定部３０４２は、監視領域ごとにセンサ１０２１による検知情報数と、携帯端末の識別情報数とが等しいか否かを判断する（ステップＳ２００４）。すなわち、監視領域内でのセンサ１０２１によって検知された人の数と、検知された人が所持している携帯端末２００の数を判断することによって、携帯端末２００を所持しない者である不審者の有無を判断するものである。センサによる検知情報数と、携帯端末２００の識別情報数とが等しいと判断した場合は（ステップＳ２００４：Ｙｅｓ）、不審者は存在しないと判断されるため、処理を抜ける。
【０１０６】
センサ１０２１による検知情報数と、携帯端末２００の識別情報数とが等しくないと判断した場合には（ステップＳ２００４：Ｎｏ）、不審者が存在すると判断する（ステップＳ２００５）。なお、センサ１０２１による検知情報数と、携帯端末２００の識別情報数との差分から、さらに不審者の人数を求めてもよい。さらに、不審者判定部３０４２は、コントローラ部３０３の通知対象となっている監視領域に不審者が存在するか否かを判断する（ステップＳ２００６）。コントローラ部３０３の通知対象となっている監視領域に不審者が存在しないと判断した場合は（ステップＳ２００６：Ｎｏ）、処理を抜ける。コントローラ部３０３の通知対象となっている監視領域に不審者が存在すると判断した場合は（ステップＳ２００６：Ｙｅｓ）、送受信部３０４１は不審者情報（例えば不審者の位置や人数、監視領域等）を居室識別情報に対応するコントローラ部３０３に送信する（ステップＳ２００７）。
【０１０７】
コントローラ部３０３において、送受信部１０３１は不審者情報を受信する（ステップＳ２００８）。入出力制御部３０３３は、不審者情報を操作部１０３５に出力する（ステップＳ２００９）。
【０１０８】
このように、第１の実施の形態における効果に加えて、サーバ装置で一元的に不審者判定を行い、その結果である不審者情報をコントローラ部に送信するため、各コントローラ部で不審者判定を行う場合よりも、ネットワーク上に送受信される検知情報や識別情報のデータ量が削減され、処理速度の向上を図ることができる。また、各コントローラで不審者判定処理を行わないため、コントローラ部の構成が簡易となる。
【０１０９】
なお、本実施の形態においても、第１の実施の形態と同様に不審者情報をコントローラ部ではなく、携帯端末に出力してもよい。かかる処理は、図２０の処理の一部を上述した図１３−１、図１３−２での携帯端末とのやり取りに置換えることによって実現可能である。よって、ここでの詳細な説明は省略する。
【０１１０】
（第３の実施の形態）
第３の実施の形態について、添付図面を参照して説明する。第３の実施の形態にかかる警備システムは、通信距離内の存在する携帯端末同士が送受信することによって携帯端末を所持している人数を出力するものである。
【０１１１】
本発明が適用される警備システムの構成例について、第１の実施の形態と異なる部分を説明する。他の部分については第１の実施の形態と同様であるので、上述した説明を参照し、ここでの説明を省略する。図２１は、第３の実施の形態にかかる警備システムの構成を示すブロック図である。
【０１１２】
本実施の形態の警備システム３０は、警備装置４００と、携帯端末５００とを備えている。警備装置４００は、さらに複数の携帯端末リードライト部１０１ａ〜ｎと、サーバ装置４０４とを備えている。ここで、警備装置４００の携帯端末リードライト部１０１ａ〜ｎの構成、機能は、第１の実施の形態と同様であるので、説明を省略する。
【０１１３】
サーバ装置４０４は、携帯端末リードライト部１０１によって読込まれた識別情報が居住者の識別情報であるか否かを判定するものである。図２２は、本実施の形態にかかるサーバ装置の構成を示すブロック図である。サーバ装置４０４は、さらに送受信部４０４１と、居住者判定部４０４２と、居住者識別データベース４０４３とを備えている。
【０１１４】
居住者識別データベース４０４３は、警備対象である建物に居住する居住者を識別する居住者識別情報を記憶している。図２３は、居住者識別データベースのデータ構成の一例を示す説明図である。例えば、居住者識別情報として“ＸＸＸ００１０１”が記憶されている。
【０１１５】
送受信部４０４１は、携帯端末リードライト部１０１によって読取られた携帯端末５００の識別情報を受信し、居住者判定部４０４２によって判定された居住者の人数を送信するものである。居住者判定部４０４２は、送受信部４０４１によって受信された携帯端末５００の識別情報と、居住者識別データベース４０４３に格納されている居住者識別情報を照合し、読取られた識別情報から居住者の人数を判定するものである。
【０１１６】
携帯端末５００は、他の携帯端末に記憶された識別情報を受信し、受信した識別情報数をカウントするものである。図２４は、本実施の形態にかかる携帯端末の構成を示すブロック図である。携帯端末５００は、さらに識別情報記憶部２０１と、送受信部２０２と、出力部２０３と、識別情報カウント部５０４とを備えている。ここで、識別情報記憶部２０１と、送受信部２０２と、出力部２０３とは、上述した第１の実施の形態と同様であるので、ここでの説明は省略し、上述した説明を参照する。
【０１１７】
識別情報カウント部５０４は、所定の時間を計測するとともに、所定の時間が経過するまでに送受信部２０２によって受信した識別情報の数をカウントするものである。
【０１１８】
次に、上述したように構成されている警備システムによる居住者数通知処理について説明する。図２５は、警備システムが行う居住者数通知処理手順を示すフローチャートである。
【０１１９】
まず、携帯端末５００では、識別情報カウント部５０４は予め指定された時間が経過したか否かを判断する（ステップＳ２５０１）。予め指定された時間が経過していないと判断した場合は（ステップＳ２５０１：Ｎｏ）、他の携帯端末５００の識別情報を受信したか否かを判断する（ステップＳ２５０２）。他の携帯端末５００の識別情報を受信したと判断した場合は（ステップＳ２５０２：Ｙｅｓ）、識別情報カウント部５０４は、受信した識別情報をメモリ上に保存し（ステップＳ２５０３）、ステップＳ２５０１に戻る。
【０１２０】
ステップＳ２５０１において、予め指定された時間が経過したと判断した場合は（ステップＳ２５０１：Ｙｅｓ）、送受信部２０２は警備装置４００にメモリ上の識別情報を暗号化して送信する（ステップＳ２５０４）。
【０１２１】
警備装置４００では、携帯端末リードライト部１０１の送受信部１０１１は、暗号化された識別情報を受信する（ステップＳ２５０５）。サーバ装置４０４の送受信部４０４１は、暗号化された識別情報を受信し、復号化する（ステップＳ２５０６）。居住者判定部４０４２は、居住者識別データベース４０４３から居住者識別情報を取得する（ステップＳ２５０７）。居住者判定部４０４２は、受信した識別情報のうち、居住者識別情報と同一の識別情報数をカウントする（ステップＳ２５０８）。送受信部４０４１は、居住者の識別情報数を携帯端末５００に送信する（ステップＳ２５０９）。
【０１２２】
携帯端末５００では、送受信部２０２が居住者の識別情報数を受信する（ステップＳ２５１０）。出力部２０３は、居住者の識別情報数を出力する（ステップＳ２５１１）。例えば、居住者の識別情報数と同数のＬＥＤを点灯させる。また、ディスプレイに居住者の識別情報数の数字を表示したり、音声で出力してもよい。識別情報カウント部５０４は、メモリ上の識別情報をクリアする（ステップＳ２５１２）。
【０１２３】
このように、居住者が顔見知りでない人とエレベータホール等で一緒になった場合に、携帯端末の居住者数の表示と居住者の目視によって顔見知りでない人が居住者であるか否かを判断することができる。
【０１２４】
さらに、他の例として、他の携帯端末５００から読取った識別情報をカウントアップして出力する場合を説明する。図２６は、携帯端末が行う居住者数通知処理手順を示すフローチャートである。
【０１２５】
まず、識別情報カウント部５０４は、予め指定された時間が経過したか否かを判断する（ステップＳ２６０１）。予め指定された時間が経過していないと判断した場合は（ステップＳ２６０１：Ｎｏ）、識別情報カウント部５０４は他の携帯端末５００の識別情報を受信したか否かを判断する（ステップＳ２６０２）。他の携帯端末５００の識別情報を受信したと判断した場合は（ステップＳ２６０２：Ｙｅｓ）、識別情報カウント部５０４は受信した識別情報数をカウントアップし（ステップＳ２６０３）、ステップＳ２６０１に戻る。
【０１２６】
ステップＳ２６０１において、予め指定された時間が経過したと判断した場合は（ステップＳ２６０１：Ｙｅｓ）、出力部２０３は識別情報数を出力する（ステップＳ２６０４）。識別情報カウント部５０４は、識別情報数をクリアする（ステップＳ２６０５）。
【０１２７】
このように、携帯端末５００のみの簡易なシステムで居住者数が確認でき、居住者でない見知らぬ人とエレベータに乗り合わせる等の危険の回避が可能となる。
【０１２８】
なお、携帯端末５００は、さらに識別情報を照合するための情報、例えば居住者識別情報や、居住者識別情報において警備対象の建物に共通する情報を記憶し、照合することによって、より精度の高い居住者数の確認を行うことができる。
【０１２９】
図２７は、携帯端末による他の携帯端末の識別情報の受信と居住者数の出力を時系列に示す説明図である。図２７に示すように、携帯端末５００は、ＩＤ（識別情報）送信をトリガーとして指定時間内は受信待機状態となり、指定時間中に他の携帯端末から３つのＩＤを受信した場合には、居住者数は“３”と通知される。また、次の指定時間内での受信待機状態には、他の携帯端末からのＩＤの受信がないので、居住者数は“０”と通知される。
【０１３０】
次に、上述した居住者数通知処理について実際に居住者を検知し携帯端末に居住者数を出力する例を図２５のフローチャートを用いて説明する。図２８は、警備対象である建物の存在する居住者等の位置関係を示す説明図である。図２８に示すように、居住者１は、１階のエレベータホールに滞在し、携帯端末５００を所持する人２と、携帯端末５００を所持しない人３が滞在している。
【０１３１】
まず、居住者１が所持する携帯端末５００の識別情報カウント部５０４は、予め指定された時間が経過したか否かを判断する（ステップＳ２５０１）。予め指定された時間が経過していないと判断した場合に（ステップＳ２５０１：Ｎｏ）、他の携帯端末５００の識別情報を受信したか否かを判断する（ステップＳ２５０２）。この場合、人２が携帯端末５００を所持しているので、人２の携帯端末５００からの識別情報、例えば“ＸＸＸ００２０２”を受信する。よって、他の携帯端末５００の識別情報を受信したと判断し（ステップＳ２５０２：Ｙｅｓ）、識別情報カウント部５０４は、受信した識別情報“ＸＸＸ００２０２”をメモリ上に保存し（ステップＳ２５０３）、ステップＳ２５０１に戻る。
【０１３２】
ステップＳ２５０１において、予め指定された時間が経過したと判断した場合は（ステップＳ２５０１：Ｙｅｓ）、送受信部２０２は警備装置４００にメモリ上の識別情報“ＸＸＸ００２０２”を暗号化して送信する（ステップＳ２５０４）。
【０１３３】
警備装置４００では、携帯端末リードライト部１０１の送受信部１０１３は、暗号化された識別情報“ＸＸＸ００２０２”を受信する（ステップＳ２５０５）。サーバ装置４０４の送受信部４０４１は、暗号化された識別情報を受信し、復号化する（ステップＳ２５０６）。居住者判定部４０４２は、居住者識別データベース４０４３から居住者識別情報を取得する（ステップＳ２５０７）。居住者判定部４０４２は、受信した識別情報のうち、居住者識別情報と同一の識別情報数をカウントする（ステップＳ２５０８）。図２３に示すように、居住者識別データベース４０４３には“ＸＸＸ００２０２”が格納されているので、居住者の識別情報数である“１”となる。送受信部４０４１は、居住者の識別情報数である“１”を携帯端末５００に送信する（ステップＳ２５０９）。
【０１３４】
携帯端末５００では、送受信部２０２が居住者の識別情報数である“１”を受信する（ステップＳ２５１０）。出力部２０３は、居住者の識別情報数“１”をＬＥＤの点灯等で出力する（ステップＳ２５１１）識別情報カウント部５０４は、メモリ上の識別情報をクリアする（ステップＳ２５１２）。
【０１３５】
このように、居住者１は目視による人数が２人であり、携帯端末５００に表示された居住者数が１人であることから、居住者でない者が１人居ることがわかり、エレベータに一緒に乗り合わせることを控えることができる。
【０１３６】
なお、携帯端末５００から出力する情報として、居住者数の他に居住者が何階の住人であるか等のプライバシーを侵害せず、かつ、危機回避に必要な情報を出力してもよい。
【０１３７】
図２６のフローチャートの場合でも、居住者１が所持する携帯端末５００に、人２の所持する携帯端末５００の識別情報が送信され、居住者数“１”が出力される。これにより、居住者１は、目視による人数２人と、携帯端末５００に表示された居住者数１人との情報から、居住者でない者が１人居ることがわかる。
【０１３８】
以上、本発明を第１から第３の実施の形態を用いて説明してきたが、上述した実施の形態に多様な変更または改良を加えることができる。なお、第１から第３の実施の形態において説明した構成や機能は、自由に組み合わせることができる。
【図面の簡単な説明】
【０１３９】
【図１】第１の実施の形態にかかる警備システムの構成を示すブロック図である。
【図２】本実施の形態にかかる携帯端末リードライト部の構成を示すブロック図である。
【図３】本実施の形態にかかるセンサ検知部の構成を示すブロック図である。
【図４】本実施の形態にかかるコントローラ部の構成を示すブロック図である。
【図５】通知設定データベースのデータ構成の一例を示す説明図である。
【図６】通知対象である監視領域および通知先を設定する際の操作部の一例を示す説明図である。
【図７】不審者情報を出力する際の操作部の一例を示す説明図である。
【図８】本実施の形態にかかる携帯端末の構成を示すブロック図である。
【図９】本実施の形態にかかる携帯端末の適用の一例を示す説明図である。
【図１０】本実施の形態にかかる携帯端末の適用の他の例を示す説明図である。
【図１１】警備装置のコントローラ部が行う通知先設定処理手順を示すフローチャートである。
【図１２】警備システムが行う不審者通知処理手順を示すフローチャートである。
【図１３−１】警備システムが行う不審者通知処理手順を示すフローチャートである。
【図１３−２】警備システムが行う不審者通知処理手順を示すフローチャートである。
【図１４】警備対象である建物に滞在する居住者等の位置関係を示す説明図である。
【図１５】警備対象である建物に滞在する居住者等の位置関係を示す説明図である。
【図１６】第２の実施の形態にかかる警備システムの構成を示すブロック図である。
【図１７】本実施の形態にかかるコントローラ部の構成を示すブロック図である。
【図１８】本実施の形態にかかるサーバ装置の構成を示すブロック図である。
【図１９】通知設定データベースのデータ構成の一例を示す説明図である。
【図２０】警備装置が行う不審者通知処理手順を示すフローチャートである。
【図２１】第３の実施の形態にかかる警備システムの構成を示すブロック図である。
【図２２】本実施の形態にかかるサーバ装置の構成を示すブロック図である。
【図２３】居住者識別データベースのデータ構成の一例を示す説明図である。
【図２４】本実施の形態にかかる携帯端末の構成を示すブロック図である。
【図２５】警備システムが行う居住者数通知処理手順を示すフローチャートである。
【図２６】携帯端末が行う居住者数通知処理手順を示すフローチャートである。
【図２７】携帯端末による他の携帯端末の識別情報の受信と居住者数の出力を時系列に示す説明図である。
【図２８】警備対象である建物の存在する居住者等の位置関係を示す説明図である。
【符号の説明】
【０１４０】
１０  ２０  ３０  警備システム
１００  ３００  ４００  警備装置
１０１  携帯端末リードライト部
１０２  センサ検知部
１０３  ３０３  コントローラ部
１０１１  端末情報送受信部
１０１２  １０３３  ３０３３  入出力制御部
１０１３  １０２３  １０３１  ３０４１  送受信部
１０２１  センサ
１０２２  検知情報取得部
１０３２  ３０４２  不審者判定部
１０３４  識別情報記憶部
１０３５  操作部
１０３６  ３０４３  通知設定データベース
３０３２  居室情報記憶部
３０４  ４０４  サーバ装置
２００  ５００  携帯端末
２０１  識別情報記憶部
２０２  送受信部
２０３  出力部
【図１】
2008015966.tif 000003
【図２】
2008015966.tif 000004
【図３】
2008015966.tif 000005
【図４】
2008015966.tif 000006
【図５】
2008015966.tif 000007
【図６】
2008015966.tif 000008
【図７】
2008015966.tif 000009
【図８】
2008015966.tif 000010
【図９】
2008015966.tif 000011
【図１０】
2008015966.tif 000012
【図１１】
2008015966.tif 000013
【図１２】
2008015966.tif 000014
【図１３−１】
2008015966.tif 000015
【図１３−２】
2008015966.tif 000016
【図１４】
2008015966.tif 000017
【図１５】
2008015966.tif 000018
【図１６】
2008015966.tif 000019
【図１７】
2008015966.tif 000020
【図１８】
2008015966.tif 000021
【図１９】
2008015966.tif 000022
【図２０】
2008015966.tif 000023
【図２１】
2008015966.tif 000024
【図２２】
2008015966.tif 000025
【図２３】
2008015966.tif 000026
【図２４】
2008015966.tif 000027
【図２５】
2008015966.tif 000028
【図２６】
2008015966.tif 000029
【図２７】
2008015966.tif 000030
【図２８】
2008015966.tif 000031